【手続補正書】
【提出日】平成16年4月30日(2004.4.30)
【手続補正１】
【補正対象書類名】明細書
【補正対象項目名】発明の名称
【補正方法】変更
【補正の内容】
【発明の名称】プロキシサーバー、端末、プロキシサーバー制御方法、及びプロキシサーバーを制御するためのプログラム
【手続補正２】
【補正対象書類名】明細書
【補正対象項目名】特許請求の範囲
【補正方法】変更
【補正の内容】
【特許請求の範囲】
【請求項１】
ｗｗｗサーバーから送られてくるページを中継してクライアントに送出するプロキシサーバーであって、前記ｗｗｗサーバーから送られてきたページがエラー発生の旨を表示するエラーページであることを検出するエラーページ検出手段と、このエラーページ検出手段がエラーページを検出したときそのエラーを回避することのできるページを生成するページ生成手段と、このページ生成手段によって生成したページを前記クライアントに送出するページ送出手段とを含むことを特徴とするプロキシサーバー。
【請求項２】
前記ページ生成手段は、前記エラーページ検出手段がエラーページを検出したとき直前のページに戻るためのタグを生成し、
前記ページ送出手段は、生成した前記タグを有するページを前記クライアントに送出することを特徴とする請求項１記載のプロキシサーバー。
【請求項３】
ｗｗｗサーバーから送られてくるページを中継してクライアントに送出するプロキシサーバーであって、エラー発生の旨を表示するエラーページの代わりに前記クライアントに送出すべき差し換えページを生成するページ生成手段と、前記ｗｗｗサーバーから送られてきたページがエラー発生の旨を表示するエラーページであることを検出するエラーページ検出手段と、このエラーページ検出手段がエラーページを検出したとき該エラーページの代わりに前記ページ生成手段によって生成した差し換えページを前記クライアントに送出するページ送出手段とを含むことを特徴とするプロキシサーバー。
【請求項４】
前記エラーページ検出手段は、ステータスコードがエラーを示す値であるかによってエラーページであることを検出することを特徴とする請求項１〜３のいずれかに記載のプロキシサーバー。
【請求項５】
ｗｗｗサーバーから送られてくるページを表示画面に表示する端末であって、前記ｗｗｗサーバーから送られてきたページがエラー発生の旨を表示するエラーページであることを検出するエラーページ検出手段と、このエラーページ検出手段がエラーページを検出したときそのエラーを回避することのできるページを生成するページ生成手段と、このページ生成手段によって生成したページを前記表示画面に表示するページ表示手段とを含むことを特徴とする端末。
【請求項６】
前記ページ生成手段は、前記エラーページ検出手段がエラーページを検出したとき直前のページに戻るためのタグを生成し、
前記ページ表示手段は、生成した前記タグを有するページを表示することを特徴とする請求項５記載の端末。
【請求項７】
ｗｗｗサーバーから送られてくるページを表示画面に表示する端末であって、エラー発生の旨を表示するエラーページの代わりに前記表示画面に表示すべき差し換えページを生成するページ生成手段と、前記ｗｗｗサーバーから送られてきたページがエラー発生の旨を表示するエラーページであることを検出するエラーページ検出手段と、このエラーページ検出手段がエラーページを検出したとき該エラーページの代わりに前記ページ生成手段によって生成した差し換えページを前記表示画面に表示するページ表示手段とを含むことを特徴とする端末。
【請求項８】
前記エラーページ検出手段は、ステータスコードがエラーを示す値であるかによってエラーページであることを検出することを特徴とする請求項５〜７のいずれかに記載の端末。
【請求項９】
ｗｗｗサーバーから送られてくるページを中継してクライアントに送出するプロキシサーバーを制御する制御方法であって、前記ｗｗｗサーバーから送られてきたページがエラー発生の旨を表示するエラーページであることを検出するエラーページ検出ステップと、このエラーページ検出ステップにおいてエラーページを検出したときそのエラーを回避することのできるページを生成するページ生成ステップと、このページ生成ステップにおいて生成したページを前記クライアントに送出するページ送出ステップとを含むことを特徴とする制御方法。
【請求項１０】
前記ページ生成ステップにおいては、前記エラーページ検出ステップにおいてエラーページを検出したとき直前のページに戻るためのタグを生成し、
前記ページ送出ステップにおいては、生成した前記タグを有するページを前記クライアントに送出することを特徴とする請求項９記載の制御方法。
【請求項１１】
ｗｗｗサーバーから送られてくるページを中継してクライアントに送出するプロキシサーバーを制御する制御方法であって、エラー発生の旨を表示するエラーページの代わりに前記クライアントに送出すべき差し換えページを生成するページ生成ステップと、前記ｗｗｗサーバーから送られてきたページがエラー発生の旨を表示するエラーページであることを検出するエラーページ検出ステップと、このエラーページ検出ステップがエラーページを検出したとき該エラーページの代わりに前記ページ生成ステップにおいて生成した差し換えページを前記クライアントに送出するページ送出ステップとを含むことを特徴とする制御方法。
【請求項１２】
前記エラーページ検出ステップにおいては、ステータスコードがエラーを示す値であるかによってエラーページであることを検出することを特徴とする請求項９〜１１のいずれかに記載の制御方法。
【請求項１３】
ｗｗｗサーバーから送られてくるページを中継してクライアントに送出するプロキシサーバーを制御するプログラムであって、前記ｗｗｗサーバーから送られてきたページがエラー発生の旨を表示するエラーページであることを検出するエラーページ検出ステップと、このエラーページ検出ステップにおいてエラーページを検出したときそのエラーを回避することのできるページを生成するページ生成ステップと、このページ生成ステップにおいて生成したページを前記クライアントに送出するページ送出ステップとを含むことを特徴とするプログラム。
【請求項１４】
前記ページ生成ステップにおいては、前記エラーページ検出ステップにおいてエラーページを検出したとき直前のページに戻るためのタグを生成し、
前記ページ送出ステップにおいては、生成した前記タグを有するページを前記クライアントに送出することを特徴とする請求項１３記載のプログラム。
【請求項１５】
ｗｗｗサーバーから送られてくるページを中継してクライアントに送出するプロキシサーバーを制御するプログラムであって、エラー発生の旨を表示するエラーページの代わりに前記クライアントに送出すべき差し換えページを生成するページ生成ステップと、前記ｗｗｗサーバーから送られてきたページがエラー発生の旨を表示するエラーページであることを検出するエラーページ検出ステップと、このエラーページ検出ステップがエラーページを検出したとき該エラーページの代わりに前記ページ生成ステップにおいて生成した差し換えページを前記クライアントに送出するページ送出ステップとを含むことを特徴とするプログラム。
【請求項１６】
前記エラーページ検出ステップにおいては、ステータスコードがエラーを示す値であるかによってエラーページであることを検出することを特徴とする請求項１３〜１５のいずれかに記載のプログラム。
【手続補正３】
【補正対象書類名】明細書
【補正対象項目名】０００１
【補正方法】変更
【補正の内容】
【０００１】
【発明の属する技術分野】
本発明はプロキシサーバー、端末、プロキシサーバー制御方法、及びプロキシサーバーを制御するためのプログラムに関し、特にネットワークインターフェースを有するコンピュータシステムに用いるプロキシサーバー、端末、プロキシサーバー制御方法、及びプロキシサーバーを制御するためのプログラムに関する。
【手続補正４】
【補正対象書類名】明細書
【補正対象項目名】０００９
【補正方法】変更
【補正の内容】
【０００９】
本発明は上述した従来技術の欠点を解決するためになされたものであり、その目的はサービスを安定して提供することのできるプロキシサーバー、端末、プロキシサーバー制御方法、及びプロキシサーバーを制御するためのプログラムを提供することである。
【手続補正５】
【補正対象書類名】明細書
【補正対象項目名】００１０
【補正方法】変更
【補正の内容】
【００１０】
【課題を解決するための手段】
本発明による第１のプロキシサーバーは、ｗｗｗサーバーから送られてくるページを中継してクライアントに送出するプロキシサーバーであって、前記ｗｗｗサーバーから送られてきたページがエラー発生の旨を表示するエラーページであることを検出するエラーページ検出手段と、このエラーページ検出手段がエラーページを検出したときそのエラーを回避することのできるページを生成するページ生成手段と、このページ生成手段によって生成したページを前記クライアントに送出するページ送出手段とを含むことを特徴とする。そして、前記ページ生成手段は、前記エラーページ検出手段がエラーページを検出したとき直前のページに戻るためのタグを生成し、
前記ページ送出手段は、生成した前記タグを有するページを前記クライアントに送出することを特徴とする。
本発明による第２のプロキシサーバーは、ｗｗｗサーバーから送られてくるページを中継してクライアントに送出するプロキシサーバーであって、エラー発生の旨を表示するエラーページの代わりに前記クライアントに送出すべき差し換えページを生成するページ生成手段と、前記ｗｗｗサーバーから送られてきたページがエラー発生の旨を表示するエラーページであることを検出するエラーページ検出手段と、このエラーページ検出手段がエラーページを検出したとき該エラーページの代わりに前記ページ生成手段によって生成した差し換えページを前記クライアントに送出するページ送出手段とを含むことを特徴とする。
なお、上記第１及び第２のプロキシサーバーにおいて、前記エラーページ検出手段は、ステータスコードがエラーを示す値であるかによってエラーページであることを検出することを特徴とする。
【手続補正６】
【補正対象書類名】明細書
【補正対象項目名】００１１
【補正方法】変更
【補正の内容】
【００１１】
本発明による第１の端末は、ｗｗｗサーバーから送られてくるページを表示画面に表示する端末であって、前記ｗｗｗサーバーから送られてきたページがエラー発生の旨を表示するエラーページであることを検出するエラーページ検出手段と、このエラーページ検出手段がエラーページを検出したときそのエラーを回避することのできるページを生成するページ生成手段と、このページ生成手段によって生成したページを前記表示画面に表示するページ表示手段とを含むことを特徴とする。そして、前記ページ生成手段は、前記エラーページ検出手段がエラーページを検出したとき直前のページに戻るためのタグを生成し、
前記ページ表示手段は、生成した前記タグを有するページを表示することを特徴とする。
本発明による第２の端末は、ｗｗｗサーバーから送られてくるページを表示画面に表示する端末であって、エラー発生の旨を表示するエラーページの代わりに前記表示画面に表示すべき差し換えページを生成するページ生成手段と、前記ｗｗｗサーバーから送られてきたページがエラー発生の旨を表示するエラーページであることを検出するエラーページ検出手段と、このエラーページ検出手段がエラーページを検出したとき該エラーページの代わりに前記ページ生成手段によって生成した差し換えページを前記表示画面に表示するページ表示手段とを含むことを特徴とする。
なお、上記第１及び第２の端末において、前記エラーページ検出手段は、ステータスコードがエラーを示す値であるかによってエラーページであることを検出することを特徴とする。
【手続補正７】
【補正対象書類名】明細書
【補正対象項目名】００１２
【補正方法】変更
【補正の内容】
【００１２】
本発明による第１のプロキシサーバー制御方法は、ｗｗｗサーバーから送られてくるページを中継してクライアントに送出するプロキシサーバーを制御する制御方法であって、前記ｗｗｗサーバーから送られてきたページがエラー発生の旨を表示するエラーページであることを検出するエラーページ検出ステップと、このエラーページ検出ステップにおいてエラーページを検出したときそのエラーを回避することのできるページを生成するページ生成ステップと、このページ生成ステップにおいて生成したページを前記クライアントに送出するページ送出ステップとを含むことを特徴とする。そして、前記ページ生成ステップにおいては、前記エラーページ検出ステップにおいてエラーページを検出したとき直前のページに戻るためのタグを生成し、
前記ページ送出ステップにおいては、生成した前記タグを有するページを前記クライアントに送出することを特徴とする。